(57)【要約】【課題】  使用者が自らリクライニング及び復帰を実施することができるリクライニング機構並びに椅子、座椅子及び車椅子を提供する。【解決手段】  座部用フレーム２０は第１フレーム２１と第２フレーム２２とを幅方向と平行な軸回りに揺動自在に連結してなり、第１フレーム２１と背もたれ部用フレーム３１とは一体的に形成してあり、第１フレーム２１を幅方向と平行な軸回りに揺動可能に支持する支持部１７と、背もたれ部用フレーム３１を適宜のリクライニング姿勢に保持し得るようになしてあり、この姿勢保持の解除及び作動をスイッチ５３にて制御して、背もたれ部用フレーム３１のリクライニング及び復帰を調整するメカニカルロック５と、離隔した位置でスイッチ５３を操作するレバー４１とを備え、使用者がレバー４１を操作することによって、背もたれ部用フレーム３１をリクライニング及び復帰可能に構成してある。【選択図】  図１
2015188553.tif 000002
【特許請求の範囲】
【請求項１】
使用者を着座させるべく幅方向へ距離を隔てて配した一対の座部用フレームと、着座した使用者の背部を支持すべく前記幅方向へ距離を隔てて配した一対の背もたれ部用フレームとを備え、背もたれ部用フレームをリクライニング可能になしたリクライニング機構において、
前記座部用フレームはそれぞれ、背もたれ部用フレーム側に配した第１フレームと背もたれ部用フレームとは反対側に配した第２フレームとを前記幅方向と平行な軸回りに揺動自在に連結してなり、
前記第１フレームとこれに対応する背もたれ部用フレームとは一体的に形成してあり、
前記第１フレームをそれぞれ前記幅方向と平行な軸回りに揺動可能に支持する支持手段と、
背もたれ部用フレームを適宜のリクライニング姿勢に保持し得るようになしてあり、この姿勢保持の解除及び作動を制御手段にて制御して、背もたれ部用フレームのリクライニング及び復帰を調整するリクライニング調整手段と、
を備え、
前記制御手段を操作することによって、背もたれ部用フレームをリクライニング及び復帰可能に構成してある
ことを特徴とするリクライニング機構。
【請求項２】
前記第１フレームは支持手段によって、第１フレームの長手方向の中央を含み、それより背もたれ部用フレーム側の位置で支持されている請求項１記載のリクライニング機構。
【請求項３】
更に、前記リクライニング調整手段から離隔した位置で前記制御手段を操作する操作手段を備え、
前記操作手段は、レバーと、着座した使用者がレバーを操作し得るように支持する操作用フレームと、前記レバーと前記制御手段との間に介装してあり、レバーの操作と制御手段の動作を連動させる操作用条材とを具備する
請求項１又は２記載のリクライニング機構。
【請求項４】
前記リクライニング調整手段はメカニカルロックにて構成してある請求項１から３のいずれかに記載のリクライニング機構。
【請求項５】
請求項１から４のいずれかに記載のリクライニング機構を設けてなることを特徴とする座椅子。
【請求項６】
前記支持手段は、前記座部用フレーム及び背もたれ部用フレームを担持する基台フレームと、該基台フレームに立設された一対の支持部と、各支持部をそれぞれ貫通して対応する第１フレームをそれぞれ軸支する一対の軸部材とを具備する
請求項５記載の座椅子。
【請求項７】
請求項１から４のいずれかに記載のリクライニング機構を設けてなることを特徴とする椅子。
【請求項８】
請求項１から４のいずれかに記載のリクライニング機構を設けてなることを特徴とする車椅子。
【請求項９】
前輪及び後輪を回転自在に支持する一対の基体フレームを備え、
前記支持手段は、両基体フレームにそれぞれ固定した一対の支持用フレームと、両支持用フレームをそれぞれ貫通して対応する第１フレームをそれぞれ軸支する一対の軸部材とを具備する
請求項８記載の車椅子。
【請求項１０】
前記両第２フレームの第１フレームとは反対側の端部にはそれぞれ、当該第２フレームを支持する支持部材の一端が第２フレームの長手方向へ進退可能に嵌合してあり、両支持部材の他端は対応する基体フレームにそれぞれ、幅方向の軸回りに揺動自在に連結してある請求項９記載の車椅子。
【発明の詳細な説明】
【技術分野】
【０００１】
本発明は、背もたれ部をリクライニングさせるリクライニング機構、並びにこのリクライニング機構を備える椅子、座椅子及び車椅子に関する。
【背景技術】
【０００２】
使用者が着座する座部と使用者の背部を支持する背もたれ部とを備える椅子、座椅子又は車椅子等の椅子体にあっては、着座した使用者の姿勢を変更すべく、背もたれ部の角度を調節可能になしたリクライニング機構を設けて使用者の利便性を向上させている。このようなリクライニング機構を備える椅子体として後記する特許文献１には次のような車椅子が開示されている。
【０００３】
図１６は特許文献１に開示された車椅子の要部構成を示す側面図であり、図中、１００は基体フレームである。基体フレーム１００（１００）は図示しない前輪を支持する前部フレーム１０１（１０１）と図示しない後輪を支持する後部フレーム１０２（１０２）とを人字状に交差させ、その交差部分にて互いに回動可能に軸支して構成してなり、前部フレーム１０１（１０１）と後部フレーム１０２（１０２）との間には、その長手方向の中央部分で折り畳み可能になした折り畳みバー１０３（１０３）が架設してある。
【０００４】
基体フレーム１００（１００）の近傍には使用者が着座する座部を構成する座部用フレーム１１０（１１０）が横臥してあり、座部用フレーム１１０（１１０）の一端部には図示しないフットプレートを支持する脚部１２０（１２０）が垂設してある。座部用フレーム１１０（１１０）の他端部には背もたれ部用フレーム１４０（１４０）が立設してあり、座部用フレーム１１０（１１０）の他端部と背もたれ部用フレーム１４０（１４０）とはブラケット１３０（１３０）によって連結してある。この座部用フレーム１１０（１１０）はその一端近傍の位置で、前述した前部フレーム１０１（１０１）と後部フレーム１０２（１０２）との交差部分に揺動可能に軸支されている。
【０００５】
一方、前部フレーム１０１（１０１）の長手方向の中途位置には第１横バー１０５が、前部フレーム１０１（１０１）の間に架設してあり、また座部用フレーム１１０（１１０）の他端部には第２横バー１１５が、対をなす座部用フレーム１１０（１１０）間に架設してある。これら第１横バー１０５と第２横バー１１５との間には、内蔵するロック機構を解除することによって伸縮が許可されるメカニカルロック１５０（１５０）が架設してあり、背もたれ部用フレーム１４０（１４０）の上端近傍にはメカニカルロック１５０（１５０）のロックを解除するレバー（図示せず）が配設してある。
【０００６】
このような構成の車椅子にあっては、車椅子の座部に着座した使用者を介助する介助者がレバーを操作してメカニカルロック１５０（１５０）のロック機構を解除し、その状態で背もたれ部用フレーム１４０（１４０）を後部フレーム１０２（１０２）へ接近する方向へ揺動させることによって、背もたれ部用フレーム１４０（１４０）を任意の角度までリクライニングさせた後、レバーを解放してメカニカルロック１５０（１５０）をロックすることによって、当該角度にてリクライニング姿勢を保持する。また、このリクライニング姿勢において、介助者がレバーを操作してメカニカルロック１５０（１５０）のロック機構を解除し、その状態で背もたれ部用フレーム１４０（１４０）を後部フレーム１０２（１０２）から離隔する向へ揺動させることによって、背もたれ部用フレーム１４０（１４０）を元の起立姿勢に復帰させた後、レバーを解放してメカニカルロック１５０（１５０）をロックする。
【０００７】
このとき、背もたれ部用フレーム１４０（１４０）のリクライニング及び復帰に伴って、座部用フレーム１１０（１１０）並びに脚部１２０（１２０）及び該脚部１２０（１２０）に支持されたフットプレートも揺動するため、座部に着座した姿勢のまま使用者をリクライニング及び復帰させることができる。障害を有する使用者にあっては、車椅子に着座した使用者の癜部が座部上でずれることによって不都合が生じる場合があるが、前述したように座部に着座した姿勢のまま使用者をリクライニング及び復帰させることができるので、リクライニング及び復帰の際に座部上で使用者の癜部がずれることが防止され、かかる不都合を回避することができる。
【先行技術文献】
【特許文献】
【０００８】
【特許文献１】特開２００１−１４９４１３号公報
【発明の概要】
【発明が解決しようとする課題】
【０００９】
しかしながら、このような従来のリクライニング機構にあっては、リクライニング及び復帰の際に座部上で使用者の癜部がずれることを防止し得るものの、脚部１２０（１２０）及び該脚部１２０（１２０）に支持されたフットプレートも揺動するため、座部に着座した使用者に自身の脚が掬われるような感覚を与える虞があり、リクライニング及び復帰を介助する介助者には大きな負担が課せられていた。加えて、介助者が背もたれ部用フレーム１４０（１４０）のリクライニング及び復帰を介助する場合、座部に着座した使用者の上半身の質量がそのまま介助者に与えられるため、介助者には大きな負荷が印加されていた。更に、介助者に依らない場合、リクライニング及び復帰を使用者自身が実施することができないという問題もあった。
【００１０】
本発明は斯かる事情に鑑みてなされたものであって、介助者に与える負担をより低減することができるリクライニング機構並びに椅子、座椅子及び車椅子を提供する。加えて、介助者に与える負荷をより低減し得、更には使用者が自らリクライニング及び復帰を実施することができるリクライニング機構並びに椅子、座椅子及び車椅子を提供する。
【課題を解決するための手段】
【００１１】
（１）本発明に係るリクライニング機構は、使用者を着座させるべく幅方向へ距離を隔てて配した一対の座部用フレームと、着座した使用者の背部を支持すべく前記幅方向へ距離を隔てて配した一対の背もたれ部用フレームとを備え、背もたれ部用フレームをリクライニング可能になしたリクライニング機構において、前記座部用フレームはそれぞれ、背もたれ部用フレーム側に配した第１フレームと背もたれ部用フレームとは反対側に配した第２フレームとを前記幅方向と平行な軸回りに揺動自在に連結してなり、前記第１フレームとこれに対応する背もたれ部用フレームとは一体的に形成してあり、前記第１フレームをそれぞれ前記幅方向と平行な軸回りに揺動可能に支持する支持手段と、背もたれ部用フレームを適宜のリクライニング姿勢に保持し得るようになしてあり、この姿勢保持の解除及び作動を制御手段にて制御して、背もたれ部用フレームのリクライニング及び復帰を調整するリクライニング調整手段とを備え、前記制御手段を操作することによって、背もたれ部用フレームをリクライニング及び復帰可能に構成してあることを特徴とする。
【００１２】
本発明のリクライニング機構にあっては、使用者を着座させるべくリクライニング機構の幅方向へ距離を隔てて配した一対の座部用フレームと、着座した使用者の背部を支持すべく前記幅方向へ距離を隔てて配した一対の背もたれ部用フレームとを備え、背もたれ部用フレームをリクライニング可能になしてある。
【００１３】
前述した座部用フレームはそれぞれ、背もたれ部用フレーム側に配した第１フレームと背もたれ部用フレームとは反対側に配した第２フレームとを前記幅方向と平行な軸回りに揺動自在に連結してある。また、この第１フレームとこれに対応する背もたれ部用フレームとは一体的に形成してある。そして、第１フレームは支持手段によって前記幅方向と平行な軸回りに揺動可能に支持されており、第１フレームの揺動に伴ってこれと一体的に形成された背もたれ部用フレームがリクライニングする。
【００１４】
このように、使用者が着座する座部を構成する座部用フレームは、第１フレーム及び第２フレームにて構成されており、第１フレームとこれに対応する背もたれ部用フレームとは一体的に形成してあり、背もたれ部用フレームがリクライニングする場合、第１フレームも揺動するため、座部に着座した使用者の脚部の姿勢を急激に変更することなく、リクライニングによって使用者の癜部及び背部の角度を全体的に変更することができる。これによって、使用者の癜部が第１フレームからずれることを防止することができる。
【００１５】
一方、背もたれ部用フレームをリクライニングさせる際に、使用者の脚部の姿勢が急激に変更することが回避されるため、使用者の癜部及び背部の角度が全体的に変更される場合であっても、リクライニングを行う際に、使用者に自身の脚が掬われるような感覚を与えることがなく、従って使用者に不安感が生じ難く、安心して背もたれ部用フレームをリクライニングさせることができる。また、使用者の脚部の姿勢が略保持されるため、後述するように使用者が自身の上半身の一部の質量を背もたれ部用フレームの反対方へ移動させることを容易に実施することができる。
【００１６】
更に、本発明のリクライニング機構にあっては、背もたれ部用フレームを適宜のリクライニング姿勢に保持し得るようになしてあり、この姿勢保持の解除及び作動を制御手段にて制御して、背もたれ部用フレームのリクライニング及び復帰を調整するリクライニング調整手段を備えている。そして、制御手段を操作して、リクライニング調整手段の保持機構を解除する。このとき、使用者が背もたれ部用フレームに自身の上半身の質量を加えている場合は、それによって背もたれ部用フレームが適宜の姿勢までリクライニングする。一方、前同様の状態で、使用者が自身の上半身の一部の質量を背もたれ部用フレームの反対方へ移動させることによって、背もたれ部用フレームの復帰を補助することができる。
【００１７】
そして、リクライニング又は復帰した状態で、リクライニング調整手段の制御手段を操作して、リクライニング調整手段の保持機構を作動させることによって、背もたれ部用フレームがその姿勢で保持される。これによって、リクライニング及び復帰を使用者に不安感を生起させることなく安全に実施することができる。従って、リクライニング及び復帰を介助する介助者に与える負担を低減することができる。
【００１８】
（２）本発明に係るリクライニング機構は、前記第１フレームは支持手段によって、第１フレームの長手方向の中央を含み、それより背もたれ部用フレーム側の位置で支持されていることを特徴とする。
【００１９】
本発明のリクライニング機構にあっては、前述したように第１フレームは背もたれ部用フレームと一体的に形成してあるが、この第１フレームは支持手段にて、第１フレームの長手方向の中央を含み、それより背もたれ部用フレーム側の適宜位置で支持してある。これによって、背もたれ部用フレームをリクライニング姿勢から復帰させるべく、使用者が自身の上半身の一部の質量を背もたれ部用フレームの反対方へ移動させると、第１フレームには前記支持手段にて支持された位置を支点とするテコの原理が第１フレームの背もたれ部用フレームとは反対側の端を押し下げるように作用するため容易に揺動し、第１フレームと一体的に形成された背もたれ部用フレームも容易に復帰させることができる。一方、背もたれ部用フレームをリクライニングさせる際にあっては、使用者が自身の上半身の一部の質量を背もたれ部用フレームの反対方へ移動させることによって、背もたれ部用フレームに印加される荷重が低減されるため、リクライニング操作も容易に実施することができる。
【００２０】
従って、リクライニング及び復帰を介助者が介助する場合にあっては、当該介助者に与える負荷を可及的に低減し得る。一方、前述したように使用者が自身の上半身の一部の質量を背もたれ部用フレームの反対方へ移動させることによって、第１フレームと一体的に形成された背もたれ部用フレームを復帰させることができるので、使用者が自らリクライニング及び復帰を実施することができる。
【００２１】
（３）本発明に係るリクライニング機構は、更に、前記リクライニング調整手段から離隔した位置で前記制御手段を操作する操作手段を備え、前記操作手段は、レバーと、着座した使用者がレバーを操作し得るように支持する操作用フレームと、前記レバーと前記制御手段との間に介装してあり、レバーの操作と制御手段の動作を連動させる操作用条材とを具備することを特徴とする。
【００２２】
本発明のリクライニング機構にあっては、リクライニング調整手段から離隔した位置で前記制御手段を操作する操作手段を備えている。この操作手段は、着座した使用者がレバーを操作し得るように支持する操作用フレームにレバーを取付け、このレバーとリクライニング調整手段の制御手段との間に操作用条材を介装させ、レバーの操作と制御手段の動作を連動させてある。これによって、使用者は着座した状態で自ら、背もたれ部用フレームをリクライニング又は復帰させることができる。
【００２３】
（４）本発明に係るリクライニング機構は、前記リクライニング調整手段はメカニカルロックにて構成してあることを特徴とする。
【００２４】
本発明のリクライニング機構にあっては、リクライニング調整手段は、ロッド及びシリンダを備えるメカニカルロックにて構成してあるため、リクライニングの際に背もたれ部用フレームが急激に変動することを防止することができる。
【００２５】
（５）本発明に係る座椅子は、（１）から（４）のいずれかに記載のリクライニング機構を設けてなることを特徴とする。
【００２６】
本発明の座椅子にあっては、前述したいずれかのリクライニング機構が設けてあるため、前同様の各作用・効果を奏する。
【００２７】
（６）本発明に係る座椅子は、前記支持手段は、前記座部用フレーム及び背もたれ部用フレームを担持する基台フレームと、該基台フレームに立設された一対の支持部と、各支持部をそれぞれ貫通して対応する第１フレームをそれぞれ軸支する一対の軸部材とを具備することを特徴とする。
【００２８】
本発明の座椅子にあっては、前述した支持手段は、座部用フレーム及び背もたれ部用フレームを担持する基台フレームに一対の支持部を立設し、各支持部をそれぞれ貫通する軸部材によって第１フレームをそれぞれ軸支して構成してある。このように、座部用フレーム及び背もたれ部用フレームを基台フレームにて担持させてあるため、着座した使用者の質量を基台フレームで受けることができ、従って背もたれ部用フレームを比較的大きな角度までリクライニングさせることができる。
【００２９】
（７）本発明に係る椅子は、（１）から（４）のいずれかに記載のリクライニング機構を設けてなることを特徴とする。
【００３０】
本発明の椅子にあっては、前述したいずれかのリクライニング機構が設けてあるため、前同様の各作用・効果を奏する。
【００３１】
（８）本発明に係る車椅子は、（１）から（４）のいずれかに記載のリクライニング機構を設けてなることを特徴とする。
【００３２】
本発明の車椅子にあっては、前述したいずれかのリクライニング機構が設けてあるため、前同様の各作用・効果を奏する。
【００３３】
（９）本発明に係る車椅子は、前輪及び後輪を回転自在に支持する一対の基体フレームを備え、前記支持手段は、両基体フレームにそれぞれ固定した一対の支持用フレームと、両支持用フレームをそれぞれ貫通して対応する第１フレームをそれぞれ軸支する一対の軸部材とを具備することを特徴とする。
【００３４】
本発明の車椅子にあっては、前述した支持手段は、前輪及び後輪を回転自在に支持する一対の基体フレームにそれぞれ支持用フレームを固定し、両支持用フレームをそれぞれ貫通させた軸部材によって対応する第１フレームをそれぞれ軸支するように構成してある。これによって、背もたれ部用フレームがリクライニング及び復帰可能な車椅子を可及的に簡単な構成で実現することができ、製造コストの上昇を可及的に抑制することができる。
【００３５】
（１０）本発明に係る車椅子は、前記両第２フレームの第１フレームとは反対側の端部にはそれぞれ、当該第２フレームを支持する支持部材の一端が第２フレームの長手方向へ進退可能に嵌合してあり、両支持部材の他端は対応する基体フレームにそれぞれ、幅方向の軸回りに揺動自在に連結してあることを特徴とする。
【００３６】
本発明の車椅子にあっては、両第２フレームの第１フレームとは反対側の端部にはそれぞれ、当該第２フレームを支持する支持部材の一端が第２フレームの長手方向へ進退可能に嵌合してある。例えば、第２フレームの第１フレームとは反対側の端部を筒状になしておく一方、支持部材を棒状になしておき、第２フレームの筒状の端部内に棒状の支持部材を挿入させることによって、両者を第２フレームの長手方向へ進退可能に嵌合する。または、第２フレームの第１フレームとは反対側の端部を棒状になしておく一方、支持部材を筒状になしておき、筒状の支持部材内に第２フレームの棒状の端部を挿入させることによって、両者を第２フレームの長手方向へ進退可能に嵌合する。そして、両支持部材の他端は対応する基体フレームにそれぞれ、幅方向の軸回りに揺動自在に連結する。これによって、車椅子を幅方向に折り畳みし得るように、即ち両基体フレームが接近するように折り畳む構成にした場合であっても、当該第２フレームの動作を阻害することなく、第２フレーム支持することができる。
【図面の簡単な説明】
【００３７】
【図１】本発明に係るリクライニング機構を備える座椅子のフレーム構造を示す斜視図である。
【図２】図１に示した座椅子の正面図である。
【図３】図１に示した座椅子の側面図である。
【図４】図１に示した座椅子の背面図である。
【図５】図１に示した座椅子の使用状態を示す模式的側面図である。
【図６】第２実施形態に係る座椅子の使用状態を示す側面図である。
【図７】第２実施形態に係る座椅子の使用状態を示す側面図である。
【図８】本発明に係るリクライニング機構を備える椅子のフレーム構造を示す側面図である。
【図９】図８に示した椅子をリクライニングさせた状態を示す側面図である。
【図１０】本発明に係るリクライニング機構を備える車椅子のフレーム構造を示す斜視図である。
【図１１】図１０に示した車椅子の正面図である。
【図１２】図１０に示した車椅子の側面図である。
【図１３】図１０に示した車椅子の背面図である。
【図１４】第５実施形態に係る車椅子の使用状態を示す側面図である。
【図１５】第５実施形態に係る車椅子の使用状態を示す側面図である。
【図１６】従来の車椅子の要部構成を示す側面図である。
【発明を実施するための形態】
【００３８】
以下、本発明に係るリクライニング機構及び椅子体について図面に基づいて詳述する。ここで、本発明において椅子体とは、机及び食卓等において使用すべく適宜の脚部を有する椅子以外に、座椅子及び車椅子を含んでいる。なお、本実施の形態で説明するリクライニング機構及び椅子体は、本発明の趣旨を説明する一例であり、本発明はその趣旨を逸脱しない範囲での変形を含むことはいうまでもない。
【００３９】
（第１実施形態）
図１は本発明に係るリクライニング機構を備える座椅子のフレーム構造を示す斜視図であり、図中、１は基台フレームである。また、図２〜図４は図１に示した座椅子の正面図、側面図及び背面図である。
【００４０】
図１〜図４に示したように、基台フレーム１は、幅方向へ距離を隔てて互いに平行に配置した縦フレーム１１，１１を具備しており、縦フレーム１１，１１の一端近傍の位置に第１横フレーム１２ａが、また縦フレーム１１，１１の他端近傍の位置に第２横フレーム１２ｂがそれぞれ縦フレーム１１，１１と直交するように架設してある。両縦フレーム１１，１１の長手方向の中央より少し第２横フレーム１２ｂ側の位置には、短寸帯板状の支持部１７，１７が立設してあり、両支持部１７，１７によって使用者を担持するシートフレーム２が支持されている。
【００４１】
シートフレーム２は、使用者が着座する座部を構成する一対の座部用フレーム２０，２０と、着座した使用者の背部を支持する背もたれ部を構成する一対の背もたれ部用フレーム３１，３１とを具備している。また、座部用フレーム２０，２０は、使用者の癜部を支持するための第１フレーム２１，２１、及び使用者の大腿部を支持するための第２フレーム２２，２２によって構成されており、リクライニング機構Ｒを構成する第１フレーム２１，２１及び背もたれ部用フレーム３１，３１はそれぞれ一本のフレーム材を屈曲させることによって一体的に形成してある。
【００４２】
なお、第１フレーム２１，２１及び背もたれ部用フレーム３１，３１は、それぞれ二本のフレーム材を互いに適宜の角度で当接させ、この当接部分を溶接することによって一体的に形成してもよい。
【００４３】
前述した第１フレーム２１，２１の長手方向の中央位置を含み、当該位置より背もたれ部用フレーム３１，３１側の適宜の位置には、第１フレーム２１，２１を貫通する貫通孔が第１横フレーム１２ａと平行に開設してあり、また前述した両支持部１７，１７にも貫通孔（共に図示せず。）が開設してある。そして、第１フレーム２１，２１の貫通孔と支持部１７，１７の貫通孔とを位置合わせして、これら貫通孔内にそれぞれ枢軸１８，１８を挿通させることによって、第１フレーム２１，２１及び背もたれ部用フレーム３１，３１が前記枢軸１８，１８回りに揺動可能に軸支されている。これによってリクライニング機構Ｒの要部が構成されている。
【００４４】
一方、前述した第１フレーム２１の第２フレーム２２に対向する端部、及び第２フレーム２２の第１フレーム２１に対向する一端部にはそれぞれ、互いに噛み合うようになした段差部が形成してあり、両段差部にはそれらを貫通する貫通孔が前記第１横フレーム１２ａと平行に開設してある。この貫通孔にはピン２３が挿通してあり、これによって第２フレーム２２は第１フレーム２１に、第１横フレーム１２ａと平行な軸回りに揺動自在に連結されている。
【００４５】
第２フレーム２２，２２の他端側には、棒状の伸縮バー２５，２５の一端側が進退可能に挿入してあり、伸縮バー２５，２５の他端近傍の互いに対向する部分には座部用横フレーム２７が架設してある。伸縮バー２５，２５の外側面には該外側面を貫通する複数の孔２６，２６，…、２６，２６，…がその長手方向へ適宜の間隔で開設してあり、また第２フレーム２２，２２の他端側内には例えば、いずれかの孔２６、２６にその一部が嵌合するボール部材及び該ボール部材を伸縮バー２５，２５側へ付勢する付勢部材（いずれも図示せず）が設けてあり、伸縮バー２５，２５を適宜の長さまで進退させて孔２６、２６にボール部材の一部を嵌合させることによって、伸縮バー２５，２５をその位置に固定し得るようになっている。
【００４６】
前述した伸縮バー２５，２５の他端近傍には丸材をＵ字状に成形してなる前脚部１５が垂設してあり、前脚部１５は座椅子が使用される畳又は床上を摺動されるようになっている。この前脚部１５によって第２フレーム２２，２２の他端側が適宜の高さに保持される。
【００４７】
一方、背もたれ部用フレーム３１，３１間には、背もたれ部用フレーム３１の長手方向の中途位置、及び上端近傍の位置に、Ｕ字状の連結用フレーム３２，３２がそれぞれＵ字の底部を背部側にして架設してあり、これによって使用者の質量による背もたれ部の撓みを許容し得るようになしてある。
【００４８】
この連結用フレーム３２と前述した基台フレーム１の第２横フレーム１２ｂとの間には、背もたれ部用フレーム３１を適宜のリクライニング姿勢に保持し得るようになしてあり、この姿勢保持の解除及び作動を後述する制御手段たるスイッチ５３にて制御して、背もたれ部用フレーム３１のリクライニング及び復帰を調整するリクライニング調整手段であるメカニカルロック５が架設してある。かかるメカニカルロック５はシリンダ５１、及びシリンダ５１内を進退するロッド５２を備え、ロッド５２の進退を停止するロック機構（図示せず）を内蔵し、更にロッド５２の周面に前記ロック機構を解除及び作動させるためのスイッチ（制御手段）５３を設けて構成してある。従って、スイッチ５３を操作してメカニカルロック５のロック機構を解除し、背もたれ部用フレーム３１，３１を任意の角度だけリクライニングさせた後、再びスイッチ５３を操作してメカニカルロック５のロック機構を作動させることによって、背もたれ部用フレーム３１，３１を当該リクライニング姿勢に保持することができる。また、スイッチ５３を操作してメカニカルロック５のロック機構を解除し、背もたれ部用フレーム３１，３１を元の起立姿勢に復帰させた後、再びスイッチ５３を操作してメカニカルロック５のロック機構を作動させることによって、背もたれ部用フレーム３１，３１を起立姿勢に保持する。
【００４９】
ところで、一方の縦フレーム１１の長手方向の略中央位置には、短寸の管材をへ字状に成形してなる操作用フレーム４の短寸側の端部が固着してあり、操作用フレーム４の長寸側の端部は、縦フレーム１１の一端側へ縦フレーム１１から漸次離隔するように延出させてある。この操作用フレーム４にはレバー４１が取り付けられており、該レバー４１には操作用ワイヤ（操作用条材）４２の一端が連結してある。操作用ワイヤ４２の他端はメカニカルロック５のスイッチ５３に取り付けてあり、レバー４１の操作とスイッチ５３の操作とが連動するようになっている。
【００５０】
なお、例えば座部用フレーム２０，２０及び背もたれ部用フレーム３１，３１の間に複数の帯体を、座部用フレーム２０，２０及び背もたれ部用フレーム３１，３１の長手方向へ適宜の間隔で掛け回すことによって、使用者が着座する座部及び着座した使用者の背部を支持する背もたれ部を構成することができる。更に、前記各帯体上に、又は座部用フレーム２０，２０及び背もたれ部用フレーム３１，３１の間に配設した他の支持体上に、適宜形状のクッション材を取り付けて座部及び背もたれ部を構成してもよい。
【００５１】
図５は図１に示した座椅子の使用状態を示す模式的側面図であり、リクライニングさせた状態を示してある。なお、図中、図１〜図４に対応する部分には同じ番号が付してある。
【００５２】
図５に示したように、座椅子に足を投げ出すように着座した使用者Ｍがレバー４１を介してメカニカルロック５のスイッチ５３を操作してメカニカルロック５のロック機構を解除し、背もたれ部用フレーム３１（３１）に寄りかかった使用者Ｍの上半身の質量によって背もたれ部用フレーム３１（３１）をリクライニングさせる。このとき、背もたれ部用フレーム３１（３１）のリクライニングに伴って、メカニカルロック５のロッド５２がシリンダ５１内へゆっくり後退するため、背もたれ部用フレーム３１（３１）が急激にリクライニングすることが防止される。
【００５３】
背もたれ部用フレーム３１（３１）が適宜の角度までリクライニングしたタイミングで、使用者Ｍがレバー４１を介してメカニカルロック５のスイッチ５３を操作してメカニカルロック５のロック機構を作動させ、背もたれ部用フレーム３１（３１）を当該リクライニング姿勢に保持する。このとき、背もたれ部用フレーム３１（３１）と座部用フレーム２０（２０）の第１フレーム２１（２１）とは一体的に成形してあるため、背もたれ部用フレーム３１（３１）と第１フレーム２１（２１）とが一体的に、支持部１７（１７）に挿通された枢軸１８（１８）回りにリクライニングされる。これによって、図５に示したように、使用者Ｍの癜部が第１フレーム２１（２１）からずれることを防止することができる。
【００５４】
一方、背もたれ部用フレーム３１（３１）と第１フレーム２１（２１）とが枢軸１８（１８）回りにリクライニングする場合、第１フレーム２１（２１）はその端部が基台フレーム１から離隔する方向へ揺動するため、第１フレーム２１（２１）に連結した第２フレーム２２（２２）は第１フレーム２１（２１）側の端部が基台フレーム１から離隔するように傾斜するとともに、座椅子の配設面Ｌ上を前脚部１５が摺動して第２フレーム２２（２２）が支持部１７（１７）側へ移動する。このように、第２フレーム２２（２２）は第１フレーム２１（２１）側の端部が基台フレーム１から離隔するように傾斜するため、リクライニングの際に第１フレーム２１（２１）の端部が基台フレーム１から離隔した場合であっても、使用者Ｍの大腿部を段差なく担持することができ、使用者Ｍの大腿部に負担がかからない。
【００５５】
このようにして、背もたれ部用フレーム３１（３１）を任意の角度だけリクライニングさせた後、使用者Ｍは再びレバー４１を介してスイッチ５３を操作してメカニカルロック５のロック機構を作動させることによって、背もたれ部用フレーム３１（３１）を当該リクライニング姿勢に保持する。
【００５６】
一方、背もたれ部用フレーム３１（３１）を元の起立姿勢に復帰させるには次のようにする。すなわち、使用者Ｍはレバー４１を介してスイッチ５３を操作してメカニカルロック５のロック機構を解除した後、上半身の質量の一部を第１フレーム２１（２１）の端部側へ移動させる。これによって、第１フレーム２１（２１）は枢軸１８（１８）を支点として第１フレーム２１（２１）の端部が基台フレーム１に接近する方向へ揺動するため、第１フレーム２１（２１）と一体的に形成された背もたれ部用フレーム３１（３１）は起立姿勢に復帰される。
【００５７】
このとき、前述したように枢軸１８（１８）による支点は、第１フレーム２１，２１の長手方向の中央位置を含み、当該位置より背もたれ部用フレーム３１（３１）側の適宜の位置になしてあるため、第１フレーム２１（２１）は枢軸１８（１８）を支点とするテコの原理が作用して容易に揺動する。
【００５８】
一方、第１フレーム２１（２１）はその端部が基台フレーム１へ接近離隔する方向へ揺動するため、第１フレーム２１（２１）に連結した第２フレーム２２（２２）は基台フレーム１と略平行な元の状態に復帰するとともに、座椅子の配設面Ｌ上を前脚部１５が摺動して第２フレーム２２（２２）が支持部１７（１７）から離隔する方向へ移動する。これによって、復帰動作中、使用者Ｍの大腿部の角度もスムーズに変更される。
【００５９】
そして、使用者Ｍは、レバー４１を介してスイッチ５３を操作してメカニカルロック５のロック機構を作動させることによって、背もたれ部用フレーム３１（３１）を起立姿勢に保持する。
【００６０】
このように本発明に係るリクライニング機構を備える座椅子にあっては、図１〜図５に示したように、当該座椅子に着座した使用者Ｍの手元にレバー４１が配置してあるため、使用者Ｍは着座した状態で、当該レバー４１を介してメカニカルロック５のスイッチ５３を容易に操作することができる。従って、使用者Ｍは着座した状態で容易にメカニカルロック５のロック機構を解除又は作動させることができる。加えて、第１フレーム２１（２１）は枢軸１８（１８）を支点として揺動可能に構成してあり、第１フレーム２１（２１）と背もたれ部用フレーム３１（３１）とは一体的に形成されているので、使用者Ｍが上半身の質量を背もたれ部用フレーム３１（３１）にあずける通常の着座状態では、背もたれ部用フレーム３１（３１）がリクライニングする方向へ印加されるため、メカニカルロック５のロック機構を解除するだけで、背もたれ部用フレーム３１（３１）がリクライニングする。
【００６１】
このとき、第１フレーム２１（２１）はその端部が基台フレーム１から離隔する方向へ揺動しており、更に第１フレーム２１（２１）には枢軸１８（１８）を支点とするテコの原理が作用するため、前述したように上半身の質量の一部を第１フレーム２１（２１）の端部側へ移動させるだけで、第１フレーム２１（２１）は枢軸１８（１８）を支点として第１フレーム２１（２１）の端部が基台フレーム１に接近する方向へ揺動し、これによって第１フレーム２１（２１）と一体的に形成された背もたれ部用フレーム３１（３１）が起立姿勢に復帰される。
【００６２】
これによって、使用者Ｍが自らリクライニング及び復帰を実施することができる。また、復帰時における使用者Ｍの上半身の質量の移動は比較的少なくてよいため、使用者Ｍが障害を有する場合であっても、自らリクライニング及び復帰を実施することができる。
【００６３】
なお、本実施形態にあっては、リクライニング調整手段としてメカニカルロック５を用いた場合について説明したが、本発明はこれに限らず、複数の回動角度に調整することができる角度調整機構と、調整した角度に保持するロック機構とを有するヒンジ装置、例えばインデックスヒンジ（スガツネ工業株式会社製）を支持部１７，１７にそれぞれ固着し、両ヒンジ装置によって第１フレーム２１，２１及び第１フレーム２１，２１と一体的に形成された背もたれ部用フレーム３１，３１を、座椅子の幅方向の軸回り回動可能に支持するように構成してもよい。この場合、適宜箇所にダンパを介装させておくことによって、リクライニングさせる際に背もたれ部用フレーム３１，３１が急激に揺動することを防止することができる。
【００６４】
（第２実施形態）
図６及び図７は、第２実施形態に係る座椅子の使用状態を示す側面図であり、図１に示した基台フレーム１を設けない場合を示している。なお、両図中、図１〜図４に示した各部分に対応する部分には同じ番号を付してある。
【００６５】
図６に示したように、シートフレーム２の底面側には丸材をＵ字状に成形してなる後脚部１６が垂設してあり、後脚部１６の両端部は、第１フレーム２１（２１）の長手方向の中央位置を含み、当該位置より背もたれ部用フレーム３１（３１）側の適宜の位置に固着してある。従って、第１フレーム２１（２１）及びこれと一体的に形成された背もたれ部用フレーム３１（３１）は後脚部１６と配設面Ｌとの接点を支点として揺動し得るようになっている。この後脚部１６の高さは前述した前脚部１５の高さより少し低い寸法になしてあり、着座した使用者Ｍの癜部が大腿部より沈むようになっている。
【００６６】
一方、前脚部１５と後脚部１６との間には前述したメカニカルロック５が介装してあり、これによって後述する如く背もたれ部用フレーム３１（３１）を適宜の角度までリクライニングさせたリクライニング姿勢に保持し得るようになっている。一方、前述した操作用フレーム４は第１フレーム２１に固定してあり、前同様、この操作用フレーム４に取り付けられたレバー４１の動作とメカニカルロック５のスイッチ５３の動作とは、操作用ワイヤ４２を介して連動するようになっている。
【００６７】
このような座椅子にあっては、前同様、足を投げ出すように着座した使用者Ｍがレバー４１を介してメカニカルロック５のスイッチ５３を操作してメカニカルロック５のロック機構を解除し、背もたれ部用フレーム３１（３１）に寄りかかった使用者Ｍの上半身の質量によって背もたれ部用フレーム３１（３１）をリクライニングさせる。このとき、図７に示したように、背もたれ部用フレーム３１（３１）は後脚部１６と配設面Ｌとの接点を支点として揺動してリクライニングするが、このリクライニングに伴って、メカニカルロック５のロッド５２がシリンダ５１内へゆっくり後退するため、背もたれ部用フレーム３１（３１）が急激にリクライニングすることが防止される。
【００６８】
背もたれ部用フレーム３１（３１）が適宜の角度までリクライニングしたタイミングで、使用者Ｍがレバー４１を介してメカニカルロック５のスイッチ５３を操作してメカニカルロック５のロック機構を作動させ、背もたれ部用フレーム３１（３１）を当該リクライニング姿勢に保持する。
【００６９】
一方、背もたれ部用フレーム３１（３１）と第１フレーム２１（２１）とが前記接点を支点としてリクライニングする場合、第１フレーム２１（２１）はその端部が配設面Ｌから離隔する方向へ揺動するため、第１フレーム２１（２１）に連結した第２フレーム２２（２２）は第１フレーム２１（２１）側の端部が配設面Ｌから離隔するように傾斜するとともに、座椅子の配設面Ｌ上を前脚部１５が摺動して第２フレーム２２（２２）が後脚部１６側へ移動する。このように、第２フレーム２２（２２）は第１フレーム２１（２１）側の端部が配設面Ｌから離隔するように傾斜するため、リクライニングの際に第１フレーム２１（２１）の端部が配設面Ｌから離隔した場合であっても、使用者Ｍの大腿部を段差なく担持することができ、使用者Ｍの大腿部に負担がかからない。
【００７０】
このようにして、背もたれ部用フレーム３１（３１）を任意の角度だけリクライニングさせた後、使用者Ｍは再びレバー４１を介してスイッチ５３を操作してメカニカルロック５のロック機構を作動させることによって、背もたれ部用フレーム３１（３１）を当該リクライニング姿勢に保持する。
【００７１】
一方、背もたれ部用フレーム３１（３１）を元の起立姿勢に復帰させる場合、使用者Ｍはレバー４１を介してスイッチ５３を操作してメカニカルロック５のロック機構を解除した後、上半身の質量の一部を第１フレーム２１（２１）の端部側へ移動させる。これによって、第１フレーム２１（２１）は前記接点を支点として第１フレーム２１（２１）の端部が配設面Ｌに接近する方向へ揺動するため、第１フレーム２１（２１）と一体的に形成された背もたれ部用フレーム３１（３１）は起立姿勢に復帰される。
【００７２】
このとき、前述したように後脚部１６の固着位置は、第１フレーム２１（２１）の長手方向の中央位置を含み、当該位置より背もたれ部用フレーム３１（３１）側の適宜の位置になしてあるため、第１フレーム２１（２１）は前記接点を支点とするテコの原理が作用して容易に揺動する。
【００７３】
一方、第１フレーム２１（２１）はその端部が配設面Ｌへ接近離隔する方向へ揺動するため、第１フレーム２１（２１）に連結した第２フレーム２２（２２）は配設面Ｌと略平行な元の状態に復帰するとともに、座椅子の配設面Ｌ上を前脚部１５が摺動して第２フレーム２２（２２）が後脚部１６から離隔する方向へ移動する。これによって、復帰動作中、使用者Ｍの大腿部の角度もスムーズに変更される。そして、使用者Ｍは、レバー４１を介してスイッチ５３を操作してメカニカルロック５のロック機構を作動させることによって、背もたれ部用フレーム３１（３１）を起立姿勢に保持する。
【００７４】
このように、図１に示した基台フレーム１を備えない座椅子であっても、使用者Ｍが自らリクライニング及び復帰を実施することができる。
【００７５】
なお、前述したようにリクライニング調整手段としてメカニカルロック５に代えて、複数の角度に調整することができる角度調整機構と調整した角度に保持するロック機構とを有するヒンジ装置、例えばインデックスヒンジ（スガツネ工業株式会社製）をピン２３（２３）の位置に適用してもよいことはいうまでもない。
【００７６】
（第３実施形態）
図８は、本発明に係るリクライニング機構を備える椅子のフレーム構造を示す側面図であり、図９は図８に示した椅子をリクライニングさせた状態を示す側面図である。なお、両図中、図１〜図４に対応する各部分には同じ番号が付してその説明を省略する。
【００７７】
基台フレーム１を構成する縦フレーム１１（１１）の長手方向の中央より少し第２横フレーム１２ｂ側の位置には柱状の脚部１９（１９）がそれぞれ立設してある。両脚部１９（１９）の上端部に支持部１７（１７）が設けてあり、支持部１７（１７）と第１フレーム２１（２１）とは、第１フレーム２１（２１）の長手方向の中央位置を含み、当該位置より背もたれ部用フレーム３１（３１）側の適宜の位置で、支持部１７（１７）及び第１フレーム２１（２１）を貫通する枢軸１８（１８）によって揺動可能に連結されている。
【００７８】
また、前述した前脚部１５には棒状の継手アーム１４の一端が、基台フレーム１の第１横フレーム１２ａの長手方向に平行な軸回りに回動自在に連結してあり、継手アーム１４の他端は前記第１横フレーム１２ａに前記軸回りに回動自在に連結してある。
【００７９】
一方、座部用フレーム２０（２０）を構成する一方の第２フレーム２２には前述した操作用フレーム４が垂下してあり、操作用フレーム４に取り付けられたレバー４１の動作とメカニカルロック５のスイッチ５３の動作とは、操作用ワイヤ４２を介して連動するようになっている。
【００８０】
このような椅子にあっては、着座した使用者Ｍがレバー４１を介してメカニカルロック５のスイッチ５３を操作してメカニカルロック５のロック機構を解除し、背もたれ部用フレーム３１（３１）に寄りかかった使用者Ｍの上半身の質量によって背もたれ部用フレーム３１（３１）をリクライニングさせる。このとき、図９に示したように、背もたれ部用フレーム３１（３１）は枢軸１８（１８）回りに揺動してリクライニングするが、このリクライニングに伴って、メカニカルロック５のロッド５２がシリンダ５１内へゆっくり後退するため、前同様、背もたれ部用フレーム３１（３１）が急激にリクライニングすることが防止される。
【００８１】
背もたれ部用フレーム３１（３１）が適宜の角度までリクライニングしたタイミングで、使用者Ｍがレバー４１を介してメカニカルロック５のスイッチ５３を操作してメカニカルロック５のロック機構を作動させ、背もたれ部用フレーム３１（３１）を当該リクライニング姿勢に保持する。
【００８２】
一方、背もたれ部用フレーム３１（３１）及び第１フレーム２１（２１）が枢軸１８（１８）回りにリクライニングする場合、第１フレーム２１（２１）はその端部が基台フレーム１から離隔する方向へ揺動するため、第１フレーム２１（２１）に連結した第２フレーム２２（２２）は第１フレーム２１（２１）側の端部が基台フレーム１から離隔するように傾斜するとともに、継手アーム１４（１４）が立ち上がるように姿勢変更し、これに伴って第２フレーム２２（２２）が支持部１７（１７）側へ移動する。このように、第２フレーム２２（２２）は第１フレーム２１（２１）側の端部が基台フレーム１から離隔するように傾斜するため、前同様、リクライニングの際に第１フレーム２１（２１）の端部が基台フレーム１から離隔した場合であっても、使用者Ｍの大腿部を段差なく担持することができ、使用者Ｍの大腿部に負担がかからない。
【００８３】
このようにして、背もたれ部用フレーム３１（３１）を任意の角度だけリクライニングさせた後、使用者Ｍは再びレバー４１を介してスイッチ５３を操作してメカニカルロック５のロック機構を作動させることによって、背もたれ部用フレーム３１（３１）を当該リクライニング姿勢に保持する。
【００８４】
一方、背もたれ部用フレーム３１（３１）を元の起立姿勢に復帰させる場合、使用者Ｍはレバー４１を介してスイッチ５３を操作してメカニカルロック５のロック機構を解除した後、上半身の質量の一部を第１フレーム２１（２１）の端部側へ移動させる。これによって、第１フレーム２１（２１）は枢軸１８（１８）回りに第１フレーム２１（２１）の端部が基台フレーム１に接近する方向へ揺動するため、第１フレーム２１（２１）と一体的に形成された背もたれ部用フレーム３１（３１）は起立姿勢に復帰される。
【００８５】
このとき、第１フレーム２１（２１）はその端部が基台フレーム１から離隔する方向へ揺動しており、更に第１フレーム２１（２１）には枢軸１８（１８）を支点とするテコの原理が作用するため、前述したように上半身の質量の一部を第１フレーム２１（２１）の端部側へ移動させるだけで、第１フレーム２１（２１）は枢軸１８（１８）を支点として第１フレーム２１（２１）の端部が基台フレーム１に接近する方向へ容易に揺動し、これによって第１フレーム２１（２１）と一体的に形成された背もたれ部用フレーム３１（３１）が起立姿勢に復帰される。
【００８６】
一方、第１フレーム２１（２１）はその端部が基台フレーム１へ接近離隔する方向へ揺動するため、第１フレーム２１（２１）に連結した第２フレーム２２（２２）は基台フレーム１と略平行な元の状態に復帰するとともに、継手アーム１４（１４）が平伏するように姿勢変更し、これに伴って第２フレーム２２（２２）が支持部１７（１７）から離隔する方向へ移動する。これによって、復帰動作中、使用者Ｍの大腿部の角度もスムーズに変更される。そして、使用者Ｍは、レバー４１を介してスイッチ５３を操作してメカニカルロック５のロック機構を作動させることによって、背もたれ部用フレーム３１（３１）を起立姿勢に保持する。
【００８７】
このように、本発明に係るリクライニング機構を備える椅子にあっては、使用者Ｍが自らリクライニング及び復帰を実施することができる。
【００８８】
（第４実施形態）
図１０は、本発明に係るリクライニング機構を備える車椅子のフレーム構造を示す斜視図であり、図中、１ａ，１ａは幅方向に距離を隔てて対向配置された基体フレームである。また、図１１〜図１３は図１０に示した車椅子の正面図、側面図及び背面図である。
【００８９】
図１０〜図１３に示したように、基体フレーム１ａ，１ａは長方形の一角部を斜辺になした環状の底部フレーム１０ａ，１０ａを、その長軸が車椅子の奥行き方向へ、またその短軸が鉛直方向へ向けるとともに、その斜辺が車椅子の正面側底部側に、またその短辺が背面側に向けて設けて構成してある。底部フレーム１０ａ，１０ａの短辺には軸受７１，７１が取り付けてあり、軸受７１，７１によって後輪７，７の回転軸が回転自在に支持されている。
【００９０】
底部フレーム１０ａ，１０ａの上辺にはそれぞれ、側面視が正方形の一角部を斜辺になした環状の上部フレーム２０ａ，２０ａが、その斜辺を車椅子の正面側上部側にして立設してある。上部フレーム２０ａ，２０ａの正面側に配された第１立上りフレーム２９，２９の正面部から底部側へ向けて、略倒立Ｌ字状の支持アーム８１，８１が所要の傾斜角度で延設してあり、両支持アーム８１，８１によって使用者の足を載せる板状の足載せ台８，８が、車椅子の奥行き方向と平行をなす軸回りに回動可能に支持されている。
【００９１】
前述した底部フレーム１０ａ，１０ａの斜辺は所要寸法だけ車椅子の正面側へ延設して両支持アーム８１，８１の周面に固着してあり、これによって両支持アーム８１，８１がそれに印加される使用者の脚部質量を保持し得るようになっている。一方、この底部フレーム１０ａ，１０ａの斜辺の延長部分の外周面にはそれぞれ、短寸筒状の前輪用アーム６２，６２が垂設してあり、両前輪用アーム６２，６２には前輪６，６を回転自在に支持する二股状の前輪用ブラケット６１，６１の基端部が、前輪用アーム６２，６２の中心軸回りに回動可能に保持されている。
【００９２】
対向配置された底部フレーム１０ａ，１０ａの間には平面視が長方形環状の第１突張り部材３０ａが介装してあり、第１突張り部材３０ａは一方の短辺を一方の底部フレーム１０ａを構成する２つの長辺の内の底部側である第１長辺フレーム１１ａに枢着させ、他方の短辺を他方の底部フレーム１０ａを構成する２つの長辺の内の上縁側である第２長辺フレーム１１ｂに突設した図示しない爪状片に係止させてある。この第１突張り部材３０ａ内には平面視が長方形環状の第２突張り部材３１ａが内嵌してあり、第２突張り部材３１ａは一方の短辺を一方の底部フレーム１０ａの第２長辺フレーム１１ｂに枢着させ、他方の短辺を他方の底部フレーム１０ａの第１長辺フレーム１１ａに突設した図示しない爪状片に係止させてある。従って、第１突張り部材３０ａ及び第２突張り部材３１ａは対をなす長辺の略中央位置で互いに交差しており、両交差点において互いに交差する両長辺にピン３２ａ，３２ａを貫通させてある。
【００９３】
第１突張り部材３０ａ及び第２突張り部材３１ａは、正面視がＸ字状の開いた状態では、一方の底部フレーム１０ａ及びこれに連続する上部フレーム２０ａと、他方の底部フレーム１０ａ及びこれに連続する上部フレーム２０ａとの間で突っ張って、車椅子に着座した使用者を保持することができる一方、第１突張り部材３０ａ及び第２突張り部材３１ａを閉じることによって、一方の底部フレーム１０ａ及びこれに連続する上部フレーム２０ａと、他方の底部フレーム１０ａ及びこれに連続する上部フレーム２０ａとを互いに近接させて、車椅子を畳むことができる。
【００９４】
この第１突張り部材３０ａ及び第２突張り部材３１ａより少し高い位置には、使用者が着座する座部を構成する一対の第１フレーム２１，２１及び第２フレーム２２，２２が車椅子の幅方向へ距離を隔てて配設してあり、対をなす第１フレーム２１，２１及び第２フレーム２２，２２は前同様、互いに屈曲可能に連結してある。また、車椅子の背面側には前述した背もたれ部用フレーム３１，３１が配してあり、背もたれ部用フレーム３１，３１は前同様、対をなす第１フレーム２１，２１と一体的に形成してある。
【００９５】
第１フレーム２１，２１の長手方向の中央位置を含み、当該位置より背もたれ部用フレーム３１，３１側の適宜の位置には、第１フレーム２１，２１を貫通する貫通孔が車椅子の幅方向に開設してあり、また前述した上部フレーム２０ａ，２０ａの背面側に配された第２立上りフレーム（支持用フレーム）１９ａ，１９ａにも貫通孔（ともに図示せず。）が車椅子の幅方向に開設してある。なお、第２立上りフレーム１９ａ，１９ａは前述した第２長辺フレーム１１ｂ，１１ｂの後輪７，７より少し前輪６，６，側の位置に立設してある。そして、第１フレーム２１，２１の貫通孔と第２立上りフレーム１９ａ，１９ａの貫通孔とを位置合わせして、これら貫通孔内にそれぞれ枢軸１８，１８を挿通させることによって、第１フレーム２１，２１及び背もたれ部用フレーム３１，３１が前記枢軸１８，１８回りに揺動可能に軸支されている。これによって前同様、リクライニング機構Ｒの要部が構成されている。
【００９６】
背もたれ部用フレーム３１，３１の上端近傍の位置の背面側周面には、介助者が把持する短寸棒状の持ち手部３３，３３が突設してあり、両持ち手部３３，３３間にはその長手方向の中途位置で二つ折れするように構成してなる帯板状の第３突っ張り部材３４が架設してある。また、背もたれ部用フレーム３１，３１の持ち手部３３，３３より底部側の位置の背面側周面には、寸棒状の突出部３５，３５が設けてあり、両突出部３５，３５間にも前記第３突っ張り部材３４が架設してある。
【００９７】
この突出部３５，３５と前述した第２長辺フレーム１１ｂ，１１ｂとの間には前述したメカニカルロック５，５がそれぞれ架設してあり、両メカニカルロック５，５のスイッチ５３，５３には前同様、操作用ワイヤ４２，４２の他端がそれぞれ取り付けてある。一方の第２立上りフレーム１９ａの長手方向の中途位置には操作用フレーム４が固着してあり、操作用フレーム４に取り付けられたレバー４１に操作用ワイヤ４２，４２の一端が連結してある。
【００９８】
ところで前述した第２フレーム２２，２２の端部は筒状になしてあり、この第２フレーム２２，２２の端部内には第２フレーム２２，２２を支持する支持バー（支持部材）２８，２８の一端が挿入してある。前述した第１立上りフレーム２９，２９の背面側周面にはヒンジ部が取り付けてあり、該ヒンジ部に前記支持バー２８，２８の他端が車椅子の幅方向の軸回りに揺動自在に連結してある。
【００９９】
なお、例えば座部用フレーム２０，２０及び背もたれ部用フレーム３１，３１の間に複数の帯体を、座部用フレーム２０，２０及び背もたれ部用フレーム３１，３１の長手方向へ適宜の間隔で掛け回すことによって、使用者が着座する座部及び着座した使用者の背部を支持する背もたれ部を構成することができる。更に、各帯体上に、又は座部用フレーム２０，２０及び背もたれ部用フレーム３１，３１の間に配設した他の支持体上に、適宜形状のクッション材を取り付けてもよい。
【０１００】
このような車椅子にあっては、座部用フレーム２０，２０にて構成される座部に着座した使用者がレバー４１を介してメカニカルロック５，５のスイッチ５３，５３を操作してメカニカルロック５，５のロック機構を解除し、背もたれ部用フレーム３１，３１に寄りかかった使用者の上半身の質量によって背もたれ部用フレーム３１，３１をリクライニングさせる。このとき、背もたれ部用フレーム３１，３１のリクライニングに伴って、メカニカルロック５，５のロッド５２，５２がシリンダ５１，５１内へゆっくり後退するため、背もたれ部用フレーム３１，３１が急激にリクライニングすることが防止される。
【０１０１】
背もたれ部用フレーム３１，３１が適宜の角度までリクライニングしたタイミングで、使用者がレバー４１を介してメカニカルロック５，５のスイッチ５３，５３を操作してメカニカルロック５，５のロック機構を作動させ、背もたれ部用フレーム３１，３１を当該リクライニング姿勢に保持する。このとき、背もたれ部用フレーム３１，３１と座部用フレーム２０，２０の第１フレーム２１，２１とは一体的に成形してあるため、背もたれ部用フレーム３１，３１と第１フレーム２１，２１とが一体的に、第２立上りフレーム１９ａ，１９ａに挿通された枢軸１８，１８回りにリクライニングされる。これによって、使用者の癜部が第１フレーム２１，２１からずれることを防止することができる。
【０１０２】
一方、背もたれ部用フレーム３１，３１と第１フレーム２１，２１とが枢軸１８，１８回りにリクライニングする場合、第１フレーム２１，２１はその端部が底部フレーム１０ａ，１０ａから離隔する方向へ揺動するため、第１フレーム２１，２１に連結した第２フレーム２２，２２は第１フレーム２１，２１側の端部が底部フレーム１０ａ，１０ａから離隔するように傾斜するとともに、第２フレーム２２，２２の他端部が支持バー２８，２８上を摺動して、第２フレーム２２，２２が背もたれ部用フレーム３１，３１側へ移動する。このように、第２フレーム２２，２２は第１フレーム２１，２１側の端部が底部フレーム１０ａ，１０ａから離隔するように傾斜するため、リクライニングの際に第１フレーム２１，２１の端部が底部フレーム１０ａ，１０ａから離隔した場合であっても、使用者の大腿部を段差なく担持することができ、使用者の大腿部に負担がかからない。
【０１０３】
このようにして、背もたれ部用フレーム３１，３１を任意の角度だけリクライニングさせた後、使用者は再びレバー４１を介してスイッチ５３，５３を操作してメカニカルロック５，５のロック機構を作動させることによって、背もたれ部用フレーム３１，３１を当該リクライニング姿勢に保持する。
【０１０４】
一方、背もたれ部用フレーム３１，３１を元の起立姿勢に復帰させるべく、使用者はレバー４１を介してスイッチ５３，５３を操作してメカニカルロック５，５のロック機構を解除した後、上半身の質量の一部を第１フレーム２１，２１の端部側へ移動させる。これによって、第１フレーム２１，２１は枢軸１８，１８を支点として第１フレーム２１，２１の端部が底部フレーム１０ａ，１０ａに接近する方向へ揺動するため、第１フレーム２１，２１と一体的に形成された背もたれ部用フレーム３１，３１は起立姿勢に復帰される。
【０１０５】
このとき、前述したように枢軸１８，１８による支点は、第１フレーム２１，２１の長手方向の中央位置を含み、当該位置より背もたれ部用フレーム３１，３１側の適宜の位置になしてあるため、第１フレーム２１，２１は枢軸１８，１８を支点とするテコの原理が作用して容易に揺動する。
【０１０６】
一方、第１フレーム２１，２１はその端部が底部フレーム１０ａ，１０ａへ接近離隔する方向へ揺動するため、第１フレーム２１，２１に連結した第２フレーム２２，２２は底部フレーム１０ａ，１０ａと略平行な元の状態に復帰するとともに、第２フレーム２２，２２の他端部が支持バー２８，２８上を摺動して、第２フレーム２２，２２が背もたれ部用フレーム３１，３１から離隔する方向へ移動する。これによって、復帰動作中、使用者の大腿部の角度もスムーズに変更される。
【０１０７】
そして、使用者は、レバー４１を介してスイッチ５３，５３を操作してメカニカルロック５，５のロック機構を作動させることによって、背もたれ部用フレーム３１，３１を起立姿勢に保持する。
【０１０８】
このように本発明に係るリクライニング機構を備える車椅子にあっては、当該車椅子に着座した使用者の手元にレバー４１が配置してあるため、使用者は着座した状態で、当該レバー４１を介してメカニカルロック５，５のスイッチ５３，５３を容易に操作することができる。従って、使用者は着座した状態で容易にメカニカルロック５，５のロック機構を解除又は作動させることができる。加えて、第１フレーム２１，２１は枢軸１８，１８を支点として揺動可能に構成してあり、第１フレーム２１，２１と背もたれ部用フレーム３１，３１とは一体的に形成されているので、使用者が上半身の質量を背もたれ部用フレーム３１，３１にあずける通常の着座状態では、背もたれ部用フレーム３１，３１がリクライニングする方向へ印加されるため、メカニカルロック５，５のロック機構を解除するだけで、背もたれ部用フレーム３１，３１がリクライニングする。
【０１０９】
このとき、第１フレーム２１，２１はその端部が底部フレーム１０ａ，１０ａから離隔する方向へ揺動しており、更に第１フレーム２１，２１には枢軸１８，１８を支点とするテコの原理が作用するため、前述したように上半身の質量の一部を第１フレーム２１，２１の端部側へ移動させるだけで、第１フレーム２１，２１は枢軸１８，１８を支点として第１フレーム２１，２１の端部が底部フレーム１０ａ，１０ａに接近する方向へ揺動し、これによって第１フレーム２１，２１と一体的に形成された背もたれ部用フレーム３１，３１が起立姿勢に復帰される。
【０１１０】
このように、車椅子に着座した使用者が自らリクライニング及び復帰を実施することができる。また、復帰時における使用者の上半身の質量の移動は比較的少なくてよいため、使用者が障害を有する場合であっても、自らリクライニング及び復帰を実施することができる。
【０１１１】
なお、本実施形態にあっては、リクライニング調整手段としてメカニカルロック５，５を用いた場合について説明したが、本発明はこれに限らず、複数の回動角度に調整することができる角度調整機構と、調整した角度に保持するロック機構とを有するヒンジ装置、例えばインデックスヒンジ（スガツネ工業株式会社製）を第２立上りフレーム１９ａ，１９ａにそれぞれ固着し、両ヒンジ装置によって第１フレーム２１，２１及び第１フレーム２１，２１と一体的に形成された背もたれ部用フレーム３１，３１を、車椅子の幅方向の軸回り回動可能に支持するように構成してもよい。この場合、適宜箇所にダンパを介装させておくことによって、リクライニングさせる際に背もたれ部用フレーム３１，３１が急激に揺動することを防止することができる。
【０１１２】
また、本実施形態にあっては、第１突張り部材３０ａ及び第２突張り部材３１ａを開閉可能に構成することによって、一方の底部フレーム１０ａ及びこれに連続する上部フレーム２０ａと、他方の底部フレーム１０ａ及びこれに連続する上部フレーム２０ａとを互いに近接させて、車椅子を折り畳み可能になしてあるが、本発明はこれに限らず、折り畳み不能な車椅子にも適用できることはいうまでもない。
【０１１３】
なお、本実施形態にあっては、一方の第２立上りフレーム１９ａの長手方向の中途位置に固着した操作用フレーム４にレバー４１を取り付けて、座部に着座した使用者Ｍがレバー４１を操作し得るようになしてあるが、本発明はこれに限らず、例えば一方の持ち手部３３にレバー４１を取り付けて、介助者がレバー４１を操作し得るようにしてもよい。
【０１１４】
前述したように、使用者の上半身の質量の一部を第１フレーム２１，２１の端部側へ移動させた場合、第１フレーム２１，２１は枢軸１８，１８を支点として第１フレーム２１，２１の端部が底部フレーム１０ａ，１０ａに接近する方向へ揺動しようとするため、第１フレーム２１，２１と一体的に形成された背もたれ部用フレーム３１，３１に印加される負荷が低減される。従って、使用者が着座した車椅子について介助者が背もたれ部用フレーム３１，３１をリクライニング又は復帰させる際に、当該介助者に課される負荷を可及的に低減することができる。
【０１１５】
なお、このようなレバー４１の設置位置の変更は、前述した第１〜第３実施例にも適用し得ることはいうまでもない。
【０１１６】
（第５実施形態）
図１４及び図１５は、第５実施形態に係る車椅子の使用状態を示す側面図であり、図１４は起立状態を、図１５はリクライニング状態をそれぞれ示している。なお、両図中、図１０〜図１３に示した各部分に対応する部分には同じ番号を付してその説明を省略する。
【０１１７】
図１４に示したように、本実施形態のメカニカルロック５，５にはバネ部材５５（５５）をロッド５２（５２）に外嵌させてあり、ロッド５２（５２）が後退された際に、バネ部材（付勢手段）５５（５５）によって反発力をロッド５２（５２）に与えるようになっている。
【０１１８】
このような車椅子にあっては、図１５に示したように、背もたれ部用フレーム３１（３１）を任意の角度だけリクライニングさせた後、使用者は再びレバー４１を介してスイッチ５３（５３）を操作してメカニカルロック５（５）のロック機構を作動させることによって、背もたれ部用フレーム３１（３１）を当該リクライニング姿勢に保持する。このとき、背もたれ部用フレーム３１（３１）のリクライニングに伴って、ロッド５２（５２）がシリンダ５１（５１）内へ後退するとともにバネ部材５５（５５）が収縮しており、バネ部材５５（５５）には元の状態へ復帰する反発力が生じている。
【０１１９】
この状態で、背もたれ部用フレーム３１（３１）を元の起立姿勢へ復帰させるべく、使用者がレバー４１を介してスイッチ５３（５３）を操作してメカニカルロック５（５）のロック機構を解除すると、バネ部材５５（５５）の反発力が作用して背もたれ部用フレーム３１（３１）が起立姿勢へ付勢されるため、使用者がそのままの姿勢で、又は上半身の質量の一部を僅かに第１フレーム２１（２１）の端部側へ移動させるだけで、図１４に示したように、背もたれ部用フレーム３１（３１）は起立姿勢に復帰される。
【０１２０】
これによって、使用者が比較的高度の障害を有する場合であっても、使用者が自らリクライニング及び復帰を実施することができる。
【０１２１】
なお、本実施形態では、背もたれ部用フレーム３１（３１）を起立姿勢へ付勢する付勢手段としてバネ部材５５（５５）をメカニカルロック５（５）に設けた場合について説明したが、本発明はこれに限らず、ガススプリングを内蔵するメカニカルロックを用いてもよい。また、前述したバネ部材又はガススプリング等の付勢手段を、メカニカルロック５（５）とは別に配設してもよい。
【０１２２】
ところで、かかる付勢手段は前述した座椅子及び椅子にも適用し得ることはいうまでもない。
【０１２３】
（追記）
以上詳述した各事項より、次のような発明も包含されていると言える。
すなわち、本発明に係る座椅子は、前記支持手段は第１フレームに脚部を垂設して構成してあることを特徴とする。
【０１２４】
本発明の座椅子にあっては、前述した支持手段は第１フレームに脚部を垂設して構成してあり、第１フレームは脚部と座椅子を配設した配設面との接点を支点として揺動して背もたれ部用フレームがリクライニングする。これによって、基台フレームを設けなくても、使用者が自らリクライニング及び復帰を不安感を生起させることなく安全に実施することができる。従って、座椅子の部品数を可及的に低減することができる。
【０１２５】
本発明に係る椅子は、前記支持手段は、前記座部用フレーム及び背もたれ部用フレームを担持する基台フレームと、該基台フレームに立設された一対の脚部と、両脚部の上端にそれぞれ設けた支持部と、各支持部をそれぞれ貫通して対応する第１フレームをそれぞれ軸支する一対の軸部材とを具備し、前記第２フレームと基台フレームとの間に継手アームが介装してあることを特徴とする。
【０１２６】
本発明の椅子にあっては、前述した支持手段は、座部用フレーム及び背もたれ部用フレームを担持する基台フレームに一対の脚部を立設し、両脚部の上端にそれぞれ設けた支持部をそれぞれ貫通する軸部材によって各第１フレームをそれぞれ軸支して構成してあり、更に第２フレームと基台フレームとの間に継手アームが介装してある。子供又は大人等、使用者の身長に応じた長さの脚部にすることによって、使用者の身長に応じてリクライニング及び復帰可能な椅子を提供することができる。
【符号の説明】
【０１２７】
１    基台フレーム
１ａ  基体フレーム
２    シートフレーム
４    操作用フレーム
５    メカニカルロック（リクライニング調整手段）
６    前輪
７    後輪
１１    縦フレーム
１２ａ  第１横フレーム
１２ｂ  第２横フレーム
１６    後脚部（支持手段）
１７    支持部
１８    枢軸
１９    脚部（支持手段）
１９ａ  第２立上りフレーム（支持手段）
２０    座部用フレーム
２１    第１フレーム
２２    第２フレーム
３１    背もたれ部用フレーム
４１    レバー
４２    操作用ワイヤ（操作用条材）
５１    シリンダ
５２    ロッド
５３    スイッチ（制御手段）
Ｌ    配設面
Ｍ    使用者
Ｒ    リクライニング機構
【図１】
2015188553.tif 000003
【図２】
2015188553.tif 000004
【図３】
2015188553.tif 000005
【図４】
2015188553.tif 000006
【図５】
2015188553.tif 000007
【図６】
2015188553.tif 000008
【図７】
2015188553.tif 000009
【図８】
2015188553.tif 000010
【図９】
2015188553.tif 000011
【図１０】
2015188553.tif 000012
【図１１】
2015188553.tif 000013
【図１２】
2015188553.tif 000014
【図１３】
2015188553.tif 000015
【図１４】
2015188553.tif 000016
【図１５】
2015188553.tif 000017
【図１６】
2015188553.tif 000018